【事件の表示】
　特許第３２１２５５７号「キースイッチ装置及びその組立方法」の請求項１、２に係る特許に対する特許異議の申立てについて、次のとおり決定する。
【結　論】
　訂正を認める。
　特許第３２１２５５７号の請求項１に係る特許を維持する。
　申立人吉村博之の特許異議の申立てを却下する。
【理　由】
１．手続の経緯
　もとの特許出願　平成４年７月１７日
　本分割出願　平成１０年９月２９日
　登録設定　平成１３年７月１９日
　特許異議申立て　平成１４年３月１９日
　・申立人：片山雄次郎　請求項１、２に対し
　特許異議申立て　平成１４年３月２５日
　・申立人：吉村博之　請求項１に対し
　第１回取消理由通知　平成１４年８月１日
　第１回訂正請求　平成１４年１０月１５日
　第２回取消理由通知　平成１５年２月２７日
　第１回訂正請求の取下　平成１５年３月１８日
　第２回訂正請求　平成１５年３月１８日
　
２．訂正の適否についての判断
（１）訂正の内容
・訂正事項ａ
　願書に添付した明細書（以下、「特許明細書」という。）の特許請求の範囲の請求項１を削除する。
　
・訂正事項ｂ
　特許明細書の特許請求の範囲の請求項２を請求項１と訂正すると共にその記載
「キートップと、
　前記キートップの下方に配置されるとともに、回動係止部と摺動係止部が形成されたホルダ部材と、
　第１リンク部材及び第２リンク部材を有するとともに、各リンク部材を相互に可動状態に配置してなり、前記キートップとホルダ部材とを連結することによりキートップの上下動を案内する案内支持部材と、
　前記キートップの上下動に伴ってスイッチング動作を行なうスイッチング部材とを備え、
　前記第１リンク部材における上側端部に前記キートップ側で回動係止される第１係止部材を形成し、下側端部に前記ホルダ部材側で摺動係止される第３係止部材を形成するとともに、前記第２リンク部材における上側端部にキートップ側で摺動係止される第２係止部材を形成し、下側端部にホルダ部材側で回動係止される第４係止部材を形成したキースイッチ装置の組立方法であって、
　前記第１リンク部材と第２リンク部材とを相互に可動状態に組み付ける工程と、
　その組み付けられた第１リンク部材における下側端部の第３係止部材をホルダ部材の摺動係止部に係止し、第２リンク部材における下側端部の第４係止部材をホルダ部材の回動係止部に係止する工程と、
　前記キートップを前記案内支持部材の上方に配置した状態から下方に押下する工程と、
　前記キートップの押圧により、キートップとホルダ部材とが連結される工程とからなることを特徴とするキースイッチ装置の組立方法。」を
「
裏面に回動係止部及び摺動係止部が形成された
　前記キートップの下方に配置されるとともに、回動係止部と摺動係止部が形成されたホルダ部材と、
　第１リンク部材及び第２リンク部材を有するとともに、各リンク部材を相互に可動状態に配置してなり、前記キートップとホルダ部材とを連結することによりキートップの上下動を案内する案内支持部材と、
　前記キートップの上下動に伴ってスイッチング動作を行うスイッチング部材とを備え、
　前記第１リンク部材における上側端部に前記キートップ側
の回動係止部
の摺動係止部
の摺動係止部
の回動係止部
　前記第１リンク部材と第２リンク部材とを相互に可動状態に組み付ける工程と、
　その組み付けられた第１リンク部材における下側端部の第３係止部材をホルダ部材の摺動係止部に係止し、第２リンク部材における下側端部の第４係止部材をホルダ部材の回動係止部に係止する工程と、
　
その後、
　前記キートップの押圧により、
回動されて水平状態になった第１リンク部材の第１係止部材がキートップ側の回動係止部に回動係止されるとともに、第２リンク部材の第２係止部材がキートップ側の下方に向かって拡がる斜面を形成してなる係止案内部を備えた摺動係止部に摺動係止されて、第１リンク部材及び第２リンク部材がそれぞれキートップに連結され、
第１リンク部材及び第２リンク部材により
　
・訂正事項ｃ
　特許明細書の【発明の名称】の欄における「キースイッチ装置及びその組立方法」を、「
キースイッチ装置の組立方法
　
・訂正事項ｄ
　特許明細書の段落番号【０００１】の記載、「【産業上の利用分野】本発明は、キートップを有し、そのキートップの上下動を案内支持する案内支持部材をホルダ部材に係止してなるキースイッチ装置に関し、特に、案内支持部材とホルダ部材との組立、及び、案内支持部材とキートップとの組立が極めて容易であるとともに、キートップの操作性が良好なキースイッチ装置に関するものである。」を、
「【産業上の利用分野】
　本発明は、キートップを有し、そのキートップの上下動を案内支持する案内支持部材をホルダ部材に係止してなるキースイッチ装置
の組立方法
の組立方法
　
・訂正事項ｅ
　特許明細書の段落番号【００１６】の記載、「本発明は前記従来技術の問題点を解消するためになされたものであり、案内支持部材とキートップとの組立が極めて容易であるとともに、キートップの操作性が良好なキースイッチ装置を提供することを目的とする。」を、
「本発明は前記従来技術の問題点を解消するためになされたものであり、案内支持部材とキートップとの組立が極めて容易であるとともに、キートップの操作性が良好なキースイッチ装置
の組立方法
　
・訂正事項ｆ
　特許明細書の段落番号【００１７】の記載を削除する。
　
・訂正事項ｇ
　特許明細書の段落番号【００１８】の記載、「更に、請求項２に係るキースイッチ装置の組立方法は、キートップと、キートップの下方に配置されるとともに、回動係止部と摺動係止部が形成されたホルダ部材と、第１リンク部材及び第２リンク部材を有するとともに、各リンク部材を相互に可動状態に配置してなり、キートップとホルダ部材とを連結することによりキートップの上下動を案内する案内支持部材と、キートップの上下動に伴ってスイッチング動作を行うスイッチング部材とを備え、第１リンク部材における上側端部にキートップ側で回動係止される第１係止部材を形成し、下側端部にホルダ部材側で摺動係止される第３係止部材を形成するとともに、第２リンク部材における上側端部にキートップ側で摺動係止される第２係止部材を形成し、下側端部にホルダ部材側で回動係止される第４係止部材を形成したキースイッチ装置の組立方法であって、第１リンク部材と第２リンク部材とを相互に可動状態に組み付ける工程と、その組み付けられた第１リンク部材における下側端部の第３係止部材をホルダ部材の摺動係止部に係止し、第２リンク部材における下側端部の第４係止部材をホルダ部材の回動係止部に係止する工程と、キートップを案内支持部材の上方に配置した状態から下方に押下する工程と、キートップの押圧により、キートップとホルダ部材とが連結される工程とからなることを特徴とする。」を、
「【課題を解決するための手段】
　
前記目的を達成するため請求項１
の組立方法
裏面に回動係止部及び摺動係止部が形成された
の回動係止部
の摺動係止部
の摺動係止部
の回動係止部
その後、
回動されて水平状態になった第１リンク部材の第１係止部材がキートップ側の回動係止部に回動係止されるとともに、第２リンク部材の第２係止部材がキートップ側の下方に向かって拡がる斜面を形成してなる係止案内部を備えた摺動係止部に摺動係止されて、第１リンク部材及び第２リンク部材がそれぞれキートップに連結され、
第１リンク部材及び第２リンク部材により
　
・訂正事項ｈ
　特許明細書の段落番号【００５６】の記載「【発明の効果】　以上説明したように、本発明のキースイッチ装置及びその組立方法によれば、キートップと案内支持部材との連結に際して、キートップを案内支持部材の上方に配置した状態で、キートップを押下することによりキートップと案内支持部材との連結を行なうことができる。また、第１リンク部材及び第２リンク部材は相互に可動状態に組み付けられた後、ホルダ部材に連結係止されることから、案内支持部材に対してキートップを連結する際、案内支持部材を明確に視認しながらキートップを連結できるので、キートップを容易に案内支持部材に対して連結することができる。
　更に、キートップ側で、第１リンク部材の第１係止部材を回動係止し、かつ第２リンク部材の第２係止部材を摺動係止し、また、ホルダ部材側で、第１リンク部材の第３係止部材を摺動係止し、かつ第２リンク部材の第４係止部材を回動係止するように構成したので、キートップ側で第１リンク部材の第１係止部材及び第２リンク部材の第２係止部材を共に回動係止し、ホルダ部材側で第１リンク部材の第３係止部材及び第２リンク部材の第４係止部材を共に摺動係止するキースイッチ装置に比べて、キートップの押下途中でキートップを水平方向に揺らすことなくスムーズに下方へ降下させることができる。」を、
「【発明の効果】
　以上説明したように、本発明のキースイッチ装置
の組立方法
　更に、キートップ側で、第１リンク部材の第１係止部材を回動係止し、かつ第２リンク部材の第２係止部材を摺動係止し、また、ホルダ部材側で、第１リンク部材の第３係止部材を摺動係止し、かつ第２リンク部材の第４係止部材を回動係止するように構成したので、キートップ側で第１リンク部材の第１係止部材及び第２リンク部材の第２係止部材を共に回動係止し、ホルダ部材側で第１リンク部材の第３係止部材及び第２リンク部材の第４係止部材を共に摺動係止するキースイッチ装置に比べて、キートップの押下途中でキートップを水平方向に揺らすことなくスムーズに下方へ降下させることができる。」と訂正する。
　
（２）訂正の目的の適否、新規事項の有無、及び特許請求の範囲の拡張・変更の有無
・訂正事項ａ
　訂正事項ａは、請求項を削除するものであるから、特許請求の範囲の減縮を目的とするものである。新規事項の追加ではなく、実質的に特許請求の範囲を拡張・変更するものではない。
　
・訂正事項ｂ
　訂正事項ｂは特許請求の範囲の減縮を目的とするものである。具体的には、訂正前の、
　 i)「キートップと、」を「
裏面に回動係止部及び摺動係止部が形成された
　 ii)「前記キートップ側で回動係止される第１係止部材」を「前記キートップ側
の回動係止部
の摺動係止部
の摺動係止部
の回動係止部で
　 iii)「前記キートップを前記案内支持部材の上方に配置した状態から下方に押下する工程と、」を「
その後、
　 iv)「キートップの押圧により、キートップとホルダ部材とが連結される工程」を「
前記
回動されて水平状態になった第１リンク部材の第１係止部材がキートップ側の回動係止部に回動係止されるとともに、第２リンク部材の第２係止部材がキートップ側の下方に向かって拡がる斜面を形成してなる係止案内部を備えた摺動係止部に摺動係止されて、第１リンク部材及び第２リンク部材がそれぞれキートップに連結され、
第１リンク部材及び第２リンク部材により
　
　上記 i)の訂正は、特許明細書の記載（ア）「また、キートップ４１の裏面からは、２つの係止部４２、４３（それぞれ係止部４２、４３は紙面と垂直方向に各一対が存在し、図１においてはそれぞれ一方のみを示す）が下方に向けてキートップ４１本体と一体に設けられている。」（段落番号【００２４】）、及び記載（イ）「係止部４２には、後述する２つのリンク部材４７、４８のうちの一方のリンク部材４７の一端に形成された係止棒５３を回動可能に係止する係止溝４４が形成されており、また、係止部４３には、他方のリンク部材４８の一端に形成された係止ピン６３、６４を水平方向に摺動可能に係止する係止溝４５が形成されている。」（段落番号【００２５】）に基づくものであり、新規事項の追加ではない。
　上記 ii)の訂正は、上記記載（ア）及び記載（イ）及び特許明細書の記載（ウ）「次に、案内指示部材４６の下方には樹脂製のホルダプレート６５が配置されており、かかるホルダプレート６５には各スイッチ装置に対応して係止部６６、６７（各係止部６６、６７はそれぞれ各２つが設けられているが、図１には各１つの係止部６６、６７を示す）が形成されている。」（段落番号【００３３】）、及び記載（エ）「係止部６６には図１において右方を開放側とする摺動溝６８が形成されており、かかる係止部６６の摺動溝６８には前記リンク部材４７に形成された係止ピン５５、５６が挿嵌される。また、係止部６７には係止部６６の摺動溝６８と同様、図１において右方を開放側とする摺動溝６９が形成されるとともに、摺動溝６９内において右方側に傾斜面を有する係止突起６９Ａが形成されている。かかる係止部６７の摺動溝６９内には前記リンク部材４８に形成された係止棒６１の両端部が嵌挿される」(段落番号【００３４】）、並びに記載（オ）「リンク部材４８の係止棒６１は、その剛性に基づき変形することなく、ホルダプレート６５における係止部６７の摺動溝６９内で係止突起６９Ａとの協働により時計方向にスムーズに回動するとともに、リンク部材４７の係止ピン５５、５６は、その軽量性に基づき係止部６６の摺動溝６８内で水平方向（図１における右方向）にスムーズに摺動する。」（段落番号【００４６】）に基づくものであるから、新規事項の追加ではない。
　上記 iii)の訂正は、特許明細書の記載（カ）「キースイッチ装置の組立に際し、先ず、第１リンク部材と第２リンク部材とを相互に可動状態に配置して案内支持部材を組み立てた後、第１リンク部材の下側端部における第３係止部材がホルダ部材の摺動係止部に係止されるとともに、第２リンク部材の下側端部における第４係止部材がホルダ部材の回動係止部に係止される。」（段落番号【００１９】）及び、記載（キ）「次に、前記のように第１リンク部材の第３係止部材と第２リンク部材の第４係止部材をそれぞれホルダ部材の摺動係止部及び回動係止部に係止した状態で、案内支持部材を構成する第１リンク部材及び第２リンク部材の上方にキートップを配置し、キートップを下方に軽く押圧する。これにより、キートップは案内支持部材に連結される。」（段落番号【００２０】）に基づくものであるから、新規事項の追加ではない。
　上記 iv）の訂正は、特許明細書の記載（ク）「係止部４３の係止溝４５の下部位置には、下方に向かって拡がる斜面を形成してなる係止案内部４５Ａが設けられており、」（段落番号【００２６】）、記載（ケ）「各リンク部材４７，４８相互を回動させて図５に示す水平状態にし、」（段落番号【００４１】）、及び記載（コ）「次に、図６の状態に保持されたリンク部材４７の係止棒５３とキートップ４１の係止溝４４とを対向させ、また、リンク部材４８の係止ピン６３、６４とキートップ４１の係止溝４５とを対向させた後（図７参照）、キートップ４１を軽く下方に押下する。これにより、リンク部材４７の係止棒５３は係止案内部４４Ａにより案内されつつ係止溝４４内にスナップインされ、同時に、リンク部材４８の各係止ピン６３、６４は係止案内部４５Ａにより案内されつつ係止溝４５内にスナップインされる。かかる状態が図８に示されている。これにより、案内支持部材４６とキートップ４１との連結が終了する。」（段落番号【００４３】）、及び願書に添付した図面の図７、図８に基づくものであるから、新規事項の追加ではない。
　また、以上の各訂正は、実質的に特許請求の範囲を拡張・変更するものではない。
　
・訂正事項ｃ〜ｈについて
　訂正事項ｃ〜ｈは、訂正前の特許請求の範囲を訂正したことに伴って、訂正前の発明の詳細な説明の項の記載を特許請求の範囲と整合させるものであり、不明りょうとなる記載の釈明に該当し、新規事項の追加に該当するものではなく、実質的に特許請求の範囲を拡張・変更するものではない。
　
（３）むすび
　よって、上記訂正は、特許法等の一部を改正する法律（平成６年法律第１１６号）附則第６条第１項の規定によりなお従前の例によるとされる、平成１１年改正前の特許法第１２０条の４第３項において準用する平成６年法律第１１６号による改正前の特許法第１２６条第１項ただし書、第２項及び第３項の規定に適合するので、当該訂正を認める。
　
３．本件発明
　上記２．で検討したとおり、平成１５年３月１８日付け訂正請求が認められるから、本件請求項１に係る発明（以下、「本件発明」という。）は、次の事項により特定されるものである。なお、訂正前の請求項１に係る発明は存在しなくなった。
「裏面に回動係止部及び摺動係止部が形成されたキートップと、
　前記キートップの下方に配置されるとともに、回動係止部と摺動係止部が形成されたホルダ部材と、
　第１リンク部材及び第２リンク部材を有するとともに、各リンク部材を相互に可動状態に配置してなり、前記キートップとホルダ部材とを連結することによりキートップの上下動を案内する案内支持部材と、
　前記キートップの上下動に伴ってスイッチング動作を行うスイッチング部材とを備え、
　前記第１リンク部材における上側端部に前記キートップ側の回動係止部で回動係止される第１係止部材を形成し、下側端部に前記ホルダ部材側の摺動係止部で摺動係止される第３係止部材を形成するとともに、前記第２リンク部材における上側端部にキートップ側の摺動係止部で摺動係止される第２係止部材を形成し、下側端部にホルダ部材側の回動係止部で回動係止される第４係止部材を形成したキースイッチ装置の組立方法であって、
　前記第１リンク部材と第２リンク部材とを相互に可動状態に組み付ける工程と、
　その組み付けられた第１リンク部材における下側端部の第３係止部材をホルダ部材の摺動係止部に係止し、第２リンク部材における下側端部の第４係止部材をホルダ部材の回動係止部に係止する工程と、
　その後、前記キートップを前記案内支持部材の上方に配置した状態から下方に押下する工程と、
　前記キートップの押圧により、回動されて水平状態になった第１リンク部材の第１係止部材がキートップ側の回動係止部に回動係止されるとともに、第２リンク部材の第２係止部材がキートップ側の下方に向かって拡がる斜面を形成してなる係止案内部を備えた摺動係止部に摺動係止されて、第１リンク部材及び第２リンク部材がそれぞれキートップに連結され、キートップとホルダ部材とが第１リンク部材及び第２リンク部材により連結される工程とからなることを特徴とするキースイッチ装置の組立方法。」
　
４．特許異議申立てについての判断
４−１．特許異議申立て及び取消理由通知の概要
（１）申立人片山雄次郎は、甲第１号証として実願昭６３−８１７４１号（実開平２−５２３６号）のマイクロフィルム（以下、「刊行物１」という。）、甲第２号証として米国特許第４９０２８６２号明細書（以下、「刊行物２」という。）を提出し、本件訂正前の請求項１及び２に係る発明の特許は特許法第２９条第２項の規定に違反してなされたものであるから、訂正前の請求項１、２に係る発明の特許を取り消すべき旨主張している。
（２）申立人吉村博之は、甲第１号証として米国特許第４４３３２２５号明細書、甲第２号証として上記刊行物２を提出し、本件訂正前の請求項１に係る発明の特許は特許法第２９条第２項の規定に違反してなされたものであるから、訂正前の請求項１に係る発明の特許を取り消すべき旨、また、請求項１には、必須の構成である「押下棒５８」がリンク部材４８の板状体５７に設けられることが記載されておらず、また、キートップ側に係止構造が設けられているかどうか明らかでなく、発明の構成に欠くことのできない事項のみを記載したものかどうか不明であるから、特許法（平成５年改正前）第３６条第４項１号及び２号の規定に適合していない旨主張している。
（３）当審における平成１４年８月１日付の取消理由通知の概要は、本件訂正前の請求項１、２に係る発明は、上記刊行物１及び２並びに実願平２−１１９８５４号（実開平４−７６２２４号）のマイクロフィルム（以下、「刊行物３」という。）に記載された発明に基いて当業者が容易に発明をすることができたものであるから、特許法第２９条第２項の規定により特許を受けることができない発明であるというものである。
　
４−２．判断
（１）申立人吉村博之が取消しを求めた特許第３２１２５５７号の請求項１に係る特許は、上記２．訂正の適否において示したように、訂正により存在しないものとなった。
　してみると、申立人吉村博之による特許異議の申立ては、不適法な申立てであって、その補正をすることができないものであるので、特許法第１２０条の６第１項で準用する同法第１３５条の規定によって却下すべきものである。
　したがって、以下、申立人片山雄次郎による特許異議の申立てについて検討する。
（２）上記刊行物１は、キートップとホルダ部材とを連結するＸ枠体（本件発明における第１及び第２リンク部材に相当。）を有するキースイッチ装置に関する発明が記載されている。
　上記刊行物２は、押釦（本件発明におけるキートップに相当。）の着脱を容易にするキーボードスイッチ装置に関するものであり、押釦の下方に配置された係合スロットがアーム（本件発明におけるリンク部材に相当。）上部にあるピンと係合する組立方法が記載されている。
　上記刊行物３は、キーボードスイッチ装置に関するものであり、キートップと基板とを連結するアーム１７、１８を有し、キートップ２５の下向き切欠き２６ａを有する支持軸受け２６とアーム１７、１８が上部から押すことにより、組み立てうることが示唆されている。
　しかしながら、本件発明と上記刊行物１ないし３に記載された発明とを対比すると、上記刊行物１ないし３に記載された発明は、本件発明の構成要件である「前記キートップの押圧により、回動されて水平状態になった第１リンク部材の第１係止部材がキートップ側の回動係止部に回動係止されるとともに、第２リンク部材の第２係止部材がキートップ側の下方に向かって拡がる斜面を形成してなる係止案内部を備えた摺動係止部に摺動係止されて、第１リンク部材及び第２リンク部材がそれぞれキートップに連結され」る点を具備していない。すなわち、キートップを押圧することによってキートップ側の摺動係止部に対してリンク部材を係止させるために、摺動係止部にキートップ側の下方に向かって拡がる斜面を形成してなる係止案内部を備えさせるという事項については、上記各刊行物には、記載も示唆も見当たらない。そして、本件発明はこの構成により、「リンク部材４８の各係止ピン６３、６４は係止溝４５内にスナップインされるので、案内支持部材４６とキートップ４１との連結が極めて簡単に行ない得る」（詳細な説明の段落【００５３】）という明細書記載の顕著な作用効果を奏すると認められるから、本件発明が、上記刊行物１ないし３に記載された発明から当業者が容易に発明できたものとはいえない。
　
５．むすび
　したがって、申立人片山雄次郎による特許異議申立ての理由及び証拠並びに当審で発見した理由によっては、請求項１に係る発明の特許を取り消すことはできない。
　また、他に請求項１に係る発明の特許を取り消すべき理由を発見しない。
　さらに、申立人吉村博之による特許異議の申立ては、不適法な申立てであって、その補正をすることができないものであるので、特許法第１２０条の６第１項で準用する同法第１３５条の規定によって却下すべきものである。
　よって、結論のとおり決定する。
【異議決定日】
平成１５年３月２７日（２００３．３．２７）
【訂正の要旨】
　▲１▼　訂正事項ａ
　特許請求の範囲の請求項１を削除する。
　▲２▼　訂正事項ｂ
　特許請求の範囲の請求項２を請求項１と訂正すると共にその記載、
「【請求項２】　キートップと、
　前記キートップの下方に配置されるとともに、回動係止部と摺動係止部が形成されたホルダ部材と、
　第１リンク部材及び第２リンク部材を有するとともに、各リンク部材を相互に可動状態に配置してなり、前記キートップとホルダ部材とを連結することによりキートップの上下動を案内する案内支持部材と、
　前記キートップの上下動に伴ってスイッチング動作を行なうスイッチング部材とを備え、
　前記第１リンク部材における上側端部に前記キートップ側で回動係止される第１係止部材を形成し、下側端部に前記ホルダ部材側で摺動係止される第３係止部材を形成するとともに、前記第２リンク部材における上側端部にキートップ側で摺動係止される第２係止部材を形成し、下側端部にホルダ部材側で回動係止される第４係止部材を形成したキースイッチ装置の組立方法であって、
　前記第１リンク部材と第２リンク部材とを相互に可動状態に組み付ける工程と、
　その組み付けられた第１リンク部材における下側端部の第３係止部材をホルダ部材の摺動係止部に係止し、第２リンク部材における下側端部の第４係止部材をホルダ部材の回動係止部に係止する工程と、
　前記キートップを前記案内支持部材の上方に配置した状態から下方に押下する工程と、
　前記キートップの押圧により、キートップとホルダ部材とが連結される工程とからなることを特徴とするキースイッチ装置の組立方法。」を、
「【請求項
１
裏面に回動係止部及び摺動係止部が形成された
　前記キートップの下方に配置されるとともに、回動係止部と摺動係止部が形成されたホルダ部材と、
　第１リンク部材及び第２リンク部材を有するとともに、各リンク部材を相互に可動状態に配置してなり、前記キートップとホルダ部材とを連結することによりキートップの上下動を案内する案内支持部材と、
　前記キートップの上下動に伴ってスイッチング動作を行うスイッチング部材とを備え、
　前記第１リンク部材における上側端部に前記キートップ側
の回動係止部
の摺動係止部
の摺動係止部
の回動係止部
　前記第１リンク部材と第２リンク部材とを相互に可動状態に組み付ける工程と、
　その組み付けられた第１リンク部材における下側端部の第３係止部材をホルダ部材の摺動係止部に係止し、第２リンク部材における下側端部の第４係止部材をホルダ部材の回動係止部に係止する工程と、
　
その後、
　前記キートップの押圧により、
回動されて水平状態になった第１リンク部材の第１係止部材がキートップ側の回動係止部に回動係止されるとともに、第２のリンク部材の第２係止部材がキートップ側の下方に向かって拡がる斜面を形成してなる係止案内部を備えた摺動係止部に摺動係止されて、第１リンク部材及び第２リンク部材がそれぞれキートップに連結され、
第１リンク部材及び第２リンク部材により
▲３▼　訂正事項ｃ
　特許明細書の【発明の名称】の欄における「キースイッチ装置及びその組立方法」を、「
キースイッチ装置の組立方法
▲４▼　訂正事項ｄ
　特許明細書の段落番号【０００１】の記載、「【産業上の利用分野】本発明は、キートップ・・・キースイッチ装置に関するものである。」を、
「【産業上の利用分野】
　本発明は、キートップを有し、そのキートップの上下動を案内支持する案内支持部材をホルダ部材に係止してなるキースイッチ装置
の組立方法
の組立方法
▲５▼　訂正事項ｅ
　特許明細書の段落番号【００１６】の記載、「本発明は前記従来技術・・・提供することを目的とする。」を、
「本発明は前記従来技術の問題点を解消するためになされたものであり、案内支持部材とキートップとの組立が極めて容易であるとともに、キートップの操作性が良好なキースイッチ装置
の組立方法
▲６▼　訂正事項ｆ
　特許明細書の段落番号【００１７】の記載、
「【課題を解決するための手段】前記目的を達成するため・・・キートップが案内支持部材に連結されることを特徴とする。」を削除する。
▲７▼　訂正事項ｇ
　特許明細書の段落番号【００１８】の記載、「更に、請求項２に係るキースイッチ装置の組立方法は、・・・工程Ｃとからなることを特徴とする。」を、
「
【課題を解決するための手段】
　
前記目的を達成するため請求項１
の組立方法
裏面に回動係止部及び摺動係止部が形成された
の回動係止部
の摺動係止部
の摺動係止部
の回動係止部
その後、
回動されて水平状態になった第１リンク部材の第１係止部材がキートップ側の回動係止部に回動係止されるとともに、第２リンク部材の第２係止部材がキートップ側の下方に向かって拡がる斜面を形成してなる係止案内部を備えた摺動係止部に摺動係止されて、第１リンク部材及び第２リンク部材がそれぞれキートップに連結され、
第１リンク部材及び第２リンク部材により
▲８▼　訂正事項ｈ
　特許明細書の段落番号【００５６】の記載「【発明の効果】　以上説明したように、・・・下方へ降下させることができる。」を、
「【発明の効果】
　以上説明したように、本発明のキースイッチ装置
の組立方法
　更に、キートップ側で、第１リンク部材の第１係止部材を回動係止し、かつ第２リンク部材の第２係止部材を摺動係止し、また、ホルダ部材側で、第１リンク部材の第３係止部材を摺動係止し、かつ第２リンク部材の第４係止部材を回動係止するように構成したので、キートップ側で第１リンク部材の第１係止部材及び第２リンク部材の第２係止部材を共に回動係止し、ホルダ部材側で第１リンク部材の第３係止部材及び第２リンク部材の第４係止部材を共に摺動係止するキースイッチ装置に比べて、キートップの押下途中でキートップを水平方向に揺らすことなくスムーズに下方へ降下させることができる。」と訂正する。
（５４）【発明の名称】
キースイッチ装置の組立方法
（５７）【特許請求の範囲】
　【請求項
１
裏面に回動係止部及び摺動係止部が形成された
　前記キートップの下方に配置されるとともに、回動係止部と摺動係止部が形成されたホルダ部材と、
　第１リンク部材及び第２リンク部材を有するとともに、各リンク部材を相互に可動状態に配置してなり、前記キートップとホルダ部材とを連結することによりキートップの上下動を案内する案内支持部材と、
　前記キートップの上下動に伴ってスイッチング動作を行うスイッチング部材とを備え、
　前記第１リンク部材における上側端部に前記キートップ側
の回動係止部
の摺動係止部
の摺動係止部
の回動係止部
　前記第１リンク部材と第２リンク部材とを相互に可動状態に組み付ける工程と、
　その組み付けられた第１リンク部材における下側端部の第３係止部材をホルダ部材の摺動係止部に係止し、第２リンク部材における下側端部の第４係止部材をホルダ部材の回動係止部に係止する工程と、
　
その後、
　前記キートップの押圧により、
回動されて水平状態になった第１リンク部材の第１係止部材がキートップ側の回動係止部に回動係止されるとともに、第２リンク部材の第２係止部材がキートップ側の下方に向かって拡がる斜面を形成してなる係止案内部を備えた摺動係止部に摺動係止されて、第１リンク部材及び第２リンク部材がそれぞれキートップに連結され、
第１リンク部材及び第２リンク部材により
【発明の詳細な説明】
　【０００１】
　【産業上の利用分野】
　本発明は、キートップを有し、そのキートップの上下動を案内支持する案内支持部材をホルダ部材に係止してなるキースイッチ装置
の組立方法
の組立方法
　【０００２】
　【従来の技術】
　従来より各種のキースイッチ装置が提案されており、かかるキースイッチ装置においては、一般にキートップの裏面から垂設されたキーステムをホルダプレートに形成したキーホルダ部により上下に摺動案内する構成が採用されていた。
　【０００３】
　このような構成のキースイッチ装置では、キーステムがキーホルダ部により摺動案内される部分を大きくすればキー操作性は向上するもののキーボードの薄型化には対応することができず、一方、キーボードの薄型化に対応すべくキーステムがキーホルダ部により摺動案内される部分を小さくすれば両者間に生じるこじれに起因してキー操作性が低下してしまうというジレンマが存在した。
　【０００４】
　本出願人は、このような従来のキースイッチにおけるジレンマを解消するためキーステムとキーホルダ部を無くし、キーボードの薄型化に対応できるとともにキー操作性の良好なキースイッチ装置を特願平３−３３０１６０号の願書に添付した明細書並びに図面において提案した。かかるキースイッチ装置を図９乃至図１１に示す。このキースイッチ装置の詳細な構成については特願平３−３３０１６０号の明細書並びに図面を参照することとして、その概略について以下に説明する。
　【０００５】
　図９において、樹脂製のキートップ１は、その裏面に設けられた２つの係止部２、３（各係止部２、３はそれぞれ一対存在する）の係止孔４、係止溝５と樹脂製のホルダプレート２５の２つの係止部２６、２７（各係止部２６、２７はそれぞれ一対存在する）の係止溝２８、係止孔２９との間に配設された案内支持部材６（２つの樹脂製のリンク部材７、８からなり、リンク部材７の一端に設けられた係止ピン１３、１４が係止孔４に、他端に設けられた係止ピン１５、１６が係止溝２８に係止されており、リンク部材８の一端に設けられた係止ピン２３、２４が係止溝５に、他端に設けられた係止ピン２１、２２が係止孔２９に係止されている）により上下動案内される。
　【０００６】
　そして、両リンク部材７、８の軸支部Ａが、支持板３２上に支持されるフレキシブル回路基板３０上に載置されたラバースプリング３１の頂部に配置され、キートップ１を押下することにより軸支部Ａを介してラバースプリング３１を座屈させてスイッチング動作を行なうものである。
　【０００７】
　ここに、リンク部材７は、図１０に示すように、基部９の両端に２つの基端部１０、１１を一体に形成してなるものである。基部９の中央部の一側面からは軸１２が延設されており、かかる軸１２は後述する他方のリンク部材８に形成された軸孔２０に軸支される。また、基端部１０の両端延部１０Ａの側面からは、係止ピン１３、１４が延設されており、この係止ピン１３、１４は前記したキートップ１の係止部２に穿設された係止孔４に係止されるものである。更に、基端部１１は平面視でコ字状に形成されており、コ字状の両端延部１１Ａの側面からは前記と同様の係止ピン１５、１６が延設されている。かかる係止ピン１５、１６はホルダプレート２５に形成された係止部２６に係止される。
　【０００８】
　また、リンク部材８は、図１１に示すように、基部１７の両端に２つの基端部１８、１９を一体に形成してなるものである。基部１７の中央部には軸孔２０が穿設され、この軸孔２０には前記のようにリンク部材７の基部９に設けられた軸１２が挿通される。また、基端部１８は平面視コ字状に形成されており、コ字状の両端延部１８Ａからは係止ピン２１、２２が延設されている。この係止ピン２１、２２はホルダプレート２５に形成された係止部２７に係止される。
　【０００９】
　更に、基端部１９の両端延部１９Ａから前記と同様の係止ピン２３、２４が延設されており、かかる係止ピン２３、２４は前記したキートップ１の係止部３に形成された係止溝５に摺動可能に係止されるものである。
　【００１０】
　前記したように案内支持部材６は、一方のリンク部材７の基部９に形成された軸１２を他方のリンク部材８の基部１７に穿設した軸孔２０に挿通して構成されるものであり、両リンク部材７、８は軸１２と軸孔１７とよりなる軸支部Ａを介して相互に回動可能となる。
　かかるキースイッチ装置によればキーボードの薄型化に対応しつつキー操作性の良好なキースイッチ装置が実現されるものである。
　【００１１】
　【発明が解決しようとする課題】
　しかしながら、前記特願平３−３３０１６０号の明細書並びに図面に記載されたキースイッチ装置では、ホルダプレート２５と２つのリンク部材７、８からなる案内支持部材６との組立、及び、案内支持部材６とキートップ１との組立を簡便、且つ、容易に行なうことができないという問題があった。
　【００１２】
　即ち、前記キースイッチ装置を組み立てるには、先ず、リンク部材７とリンク部材８とを交差状に組み立てて案内支持部材６とした後、リンク部材８の基端部１８における両係止ピン２１、２２をホルダプレート２５の係止部２７の係止孔２９に圧入する。このとき、係止部２７は、図９に示すように、開放されることなく閉塞されており、従って、前記各係止ピン２１、２２の係止孔２９に対する圧入は、端延部１８Ａ、各係止ピン２１、２２相互の樹脂弾性を利用して行なわれるが、各係止ピン２１、２２を係止孔２９に位置決めするのは困難であり、それ故圧入作業が不安定となり易いものである。従って、この圧入作業はかなり煩雑なものであった。
　【００１３】
　また、リンク部材７の基端部１１における係止ピン１５、１６を係止部２６の係止溝２８に圧入する。かかる場合においても、係止部２６は、図９に示すように、開放されることなく閉塞されているので、前記各係止ピン１５、１６の圧入作業は端延部１１Ａ、係止ピン１５、１６相互の樹脂弾性を利用して行なわれることから、前記と同様、煩雑な作業であることは否めないものであった。
　【００１４】
　このように各リンク部材７、８とホルダプレート２５の各係止部２７、２６との連結作業が終了した後、次に、リンク部材７における各係止ピン１３、１４を係止部２の係止孔４へ圧入する作業、及び、リンク部材８における各係止ピン２３、２４を係止部３の係止溝５へ圧入する作業が行なわれる。かかる両圧入作業も、係止部２及び係止部３は、図９に示すように、開放されることなく閉塞されており、各係止ピン１３、１４、２３、２４と各係止部２、３との相互における樹脂弾性を利用して行なわれることから、煩雑な作業となることは前記作業と同じであった。
　【００１５】
　以上のように、前記特願平３−３３０１６０号の明細書並びに図面のキースイッチ装置においては、ホルダプレート２５の各係止部２６、２７、及び、キートップ１の各係止部２、３は閉塞されていることから、案内支持部材６の各リンク部材７、８とホルダプレート２５、及び、キートップ１との各連結作業が全て各部材の樹脂弾性を利用して行なわれるものであり、また、各係止ピン１３等を各係止孔４等の内部に位置決めしつつ係止する必要があることから、キースイッチ装置の組立作業全体に渡って煩雑な圧入作業を行なう必要があるという問題があった。
　【００１６】
　本発明は前記従来技術の問題点を解消するためになされたものであり、案内支持部材とキートップとの組立が極めて容易であるとともに、キートップの操作性が良好なキースイッチ装置
の組立方法
　【００１７】
　【００１８】
　
【課題を解決するための手段】
　
前記目的を達成するため請求項１
の組立方法
裏面に回動係止部及び摺動係止部が形成された
の回動係止部
の摺動係止部
の摺動係止部
の回動係止部
その後、
回動されて水平状態になった第１リンク部材の第１係止部材がキートップ側の回動係止部に回動係止されるとともに、第２リンク部材の第２係止部材がキートップ側の下方に向かって拡がる斜面を形成してなる係止案内部を備えた摺動係止部に摺動係止されて、第１リンク部材及び第２リンク部材がそれぞれキートップに連結され、
第１リンク部材及び第２リンク部材により
　【００１９】
　【作用】
　前記構成を有する本発明では、キースイッチ装置の組立に際し、先ず、第１リンク部材と第２リンク部材とを相互に可動状態に配置して案内支持部材を組み立てた後、第１リンク部材の下側端部における第３係止部材がホルダ部材の摺動係止部に係止されるとともに、第２リンク部材の下側端部における第４係止部材がホルダ部材の回動係止部に係止される。
　【００２０】
　次に、前記のように第１リンク部材の第３係止部材と第２リンク部材の第４係止部材をそれぞれホルダ部材の摺動係止部及び回動係止部に係止した状態で、案内支持部材を構成する第１リンク部材及び第２リンク部材の上方にキートップを配置し、キートップを下方に軽く押圧する。これにより、キートップは案内支持部材に連結される。この状態で第１リンク部材における第１係止部材はキートップ側で回動係止され、また、第２リンク部材における第２係止部材はキートップ側で摺動係止される。
　【００２１】
　このとき、キートップと案内支持部材との連結に際して、キートップを案内支持部材の上方に配置した状態で、キートップを押下することによりキートップと案内支持部材との連結を行なうことができ、これにより、両者の連結を極めて容易に行なうことができる。
　【００２２】
　また、第１リンク部材及び第２リンク部材は相互に可動状態に組み付けられた後、ホルダ部材に連結係止されることから、案内支持部材に対してキートップを連結するについて、案内支持部材を明確に視認しながらキートップを連結すればよく、従って、キートップを容易に案内支持部材に対して連結することができる。
　更に、キートップ側で、第１リンク部材の第１係止部材を回動係止し、かつ第２リンク部材の第２係止部材を摺動係止し、また、ホルダ部材側で、第１リンク部材の第３係止部材を摺動係止し、かつ第２リンク部材の第４係止部材を回動係止するように構成したので、キートップ側で第１リンク部材の第１係止部材及び第２リンク部材の第２係止部材を共に回動係止し、ホルダ部材側で第１リンク部材の第３係止部材及び第２リンク部材の第４係止部材を共に摺動係止するキースイッチ装置に比べて、キートップの押下途中でキートップを水平方向に揺らすことなくスムーズに下方へ降下させることができる。
　【００２３】
　前記のように組み立てられたキースイッチ装置によりスイッチング動作を行なう場合、キートップが押下される。キートップが押下されると、その押下に伴いキートップが案内支持部材を介して下方に案内される。かかるキートップの押下に従って、案内支持部材も下方に移動され、これによりスイッチング部材を介してスイッチング動作が行なわれるものである。
　【００２４】
　【実施例】
　以下、本発明を具体化した一実施例に基づいて図面を参照しつつ詳細に説明する。図１は本実施例に係るキースイッチ装置の縦断面図であり、キートップ４１はＡＢＳ樹脂等の合成樹脂から成型されており、その上面にはアルファベット等の文字が印刷等により形成されている。また、キートップ４１の裏面からは、２つの係止部４２、４３（それぞれの係止部４２、４３は紙面と垂直方向に各一対が存在し、図１においてはそれぞれの一方のみを示す）が下方に向けてキートップ４１本体と一体に設けられている。
　【００２５】
　係止部４２には、後述する２つのリンク部材４７、４８のうちの一方のリンク部材４７の一端に形成された係止棒５３を回動可能に係止する係止溝４４が形成されており、また、係止部４３には、他方のリンク部材４８の一端に形成された係止ピン６３、６４を水平方向に摺動可能に係止する係止溝４５が形成されている。
　【００２６】
　また、係止溝４４には、その係止溝４４に連続するとともに、下方に行くに従って除々に拡がるように開放された係止案内部４４Ａが形成されており、かかる係止案内部４４Ａはリンク部材４７の係止棒５３を係止溝４４内にスナップインする際に係止溝４４に向かって案内するものである。更に、係止部４３の係止溝４５の下部位置には、下方に向かって拡がる斜面を形成してなる係止案内部４５Ａが設けられており、かかる係止案内部４５Ａはリンク部材４８の係止ピン６３、６４を係止溝４５内にスナップインする際に係止溝４５に向かって案内するものである。
　【００２７】
　キートップ４１の下方には、キートップ１の上下動を案内支持する案内支持部材４６が配設されており、かかる案内支持部材４６は２つのリンク部材４７、４８から構成される。
　【００２８】
　一方のリンク部材４７は、図２に示すように平面視コ字状に形成され、また、一対の板状体４９を有し各板状体４９の一端間には係止棒５３が一体に形成されるとともに、各板状体４９のそれぞれの他端には係止ピン５５、５６が形成されてなるものである。かかる係止棒５３は前記係止案内部４４Ａを介して係止部４２の係止溝４４内にスナップインされ、また、各係止ピン５５、５６は後述するホルダプレート６５に形成された係止部６６に係止される。ここに、係止棒５３は、その棒状構造からして大きな剛性を有しており、これにより、リンク部材４７は係止棒５３の存在により強度が大きくなって、その取扱が容易となる。
　【００２９】
　また、各板状体４９の互いに対向する側における中央部位置からは、一対の軸体５２が相互に対向する位置に設けられている。これらの各軸体５２は後述する他方のリンク部材４８に形成された軸孔６０に軸支される。尚、リンク部材４７の係止棒５３と各係止ピン５５、５６は各軸体５２からの距離が等しくなるように構成されている。
　【００３０】
　更に、他方のリンク部材４８は、図３に示すように、一対の板状体５７を有し各板状体５７の一端間には係止棒６１が一体に形成されるとともに、各板状体５７のそれぞれの他端には係止ピン６３、６４が形成されてなる。かかる係止棒６１の両端部は後述するホルダプレート６５の係止部６７に係止され、また、各係止ピン６３、６４は前記係止案内部４５Ａを介して係止部４３の係止溝４５内にスナップインされる。ここに、係止棒６１は、その棒状構造からして大きな剛性を有しており、これにより、リンク部材４８は係止棒６１の存在により強度が大きくなって、その取扱が容易となる。
　【００３１】
　また、各板状体５７の外側において相互に対向する中央部位置には、それぞれ軸孔６０が形成されており、これらの各軸孔６０には前記リンク部材４７の各板状体４９に形成された各軸体５２が回動可能に嵌合される。これにより、両リンク部材４７、４８は各軸体５２及び軸孔６０を介して相互に交差して回動可能となるものであり、各軸体５２と軸孔６０とにより軸支部Ａが形成される。尚、リンク部材４８の係止棒６１と各係止ピン６３、６４は軸孔６０からの距離が等しくなるように構成されている。また、図１等に示すように、リンク部材４７とリンク部材４８との交差部を構成する軸支部Ａからリンク部材４７の係止棒５３までの距離と、軸支部Ａからリンク部材４８の係止棒６１までの距離とは、ほぼ同一距離に設定されている。
　【００３２】
　更に、各板状体５７における中央部位置の間には、後述するラバースプリング７１上面に載置されるとともに、キートップ４１の押下時に各リンク部材４７、４８の相互の回動に伴ってラバースプリング７１を下方に押下する押下棒５８が設けられている。これにより、キートップ４１の押下に伴って押下棒５８がラバースプリング７１を押下してスイッチング動作を行なうものである。
　【００３３】
　次に、案内支持部材４６の下方には樹脂製のホルダプレート６５が配設されており、かかるホルダプレート６５には各スイッチ装置に対応して係止部６６、６７（各係止部６６、６７はそれぞれ各２つが設けられているが、図１には各１つの係止部６６、６７を示す）が形成されている。
　【００３４】
　係止部６６には図１において右方を開放側とする摺動溝６８が形成されており、かかる係止部６６の摺動溝６８には前記リンク部材４７に形成された係止ピン５５、５６が挿嵌される。また、係止部６７には係止部６６の摺動溝６８と同様、図１において右方を開放側とする摺動溝６９が形成されるとともに、摺動溝６９内において図１において右方側に傾斜面を有する係止突起６９Ａが形成されている。かかる係止部６７の摺動溝６９内には前記リンク部材４８に形成された係止棒６１の両端部が挿嵌される。また、ホルダプレート６５上において、両係止部６６、６７の間で、リンク部材４７における各板状体４９の外側面を案内する一対の案内壁７３（図４参照）が立設されている。
　【００３５】
　これにより、案内支持部材４６におけるリンク部材４７の係止ピン５５、５６及びリンク部材４８の係止棒６１を、それぞれ摺動溝６８と摺動溝６９の開放側からリンク部材４７の各板状体４９の外側面を各案内壁７３に案内させつつホルダプレート６５上をスライドさせることにより、各係止ピン５５、５６及び係止棒６１が各摺動溝６８、６９内に挿嵌されるものである。そして、かかる挿嵌時に係止棒６１が摺動溝６９内の係止突起６９Ａを乗り越えた後においては、係止棒６１が摺動溝６９から外れてしまうことはなく、これにより、各係止棒６１及び係止ピン５５、５６はそれぞれ摺動溝６９、６８内で回動可能に保持されるものである。
　【００３６】
　前記のように構成されるホルダプレート６５の下方には、図４に示すように、各キースイッチに対応してスイッチ電極７０Ａが形成されたフレキシブル回路基板７０が配置されており、また、かかるスイッチ電極７０Ａに対応して逆カップ状のラバースプリング７１がフレキシブル回路基板７０上に載置されている。更に、回路基板７０上のスイッチ電極７０Ａに対向してラバースプリング７１の内頂壁には、可動電極７１Ａが固着されている。そして、ラバースプリング７１の上面には、前記リンク部材４８に形成された押下棒５８が配置されている。
　【００３７】
　これにより、キートップ４１の押下に伴って押下棒５８が下方に移動すると、ラバースプリング７１が押下棒５８により押下され、一定の押下量を越えるとラバースプリング７１が座屈されて可動電極７１Ａとフレキシブル回路基板７０上のスイッチ電極７０Ａとが当接することにより、スイッチング動作が行なわれるものである。
　【００３８】
　また、フレキシブル回路基板７０の下方にはスイッチ支持板７２が配設されており、かかるスイッチ支持板７２はその上方に配設された各回路基板７０、ホルダプレート６５を支持するものである。
　【００３９】
　前記構成において、軸支部Ａの中心を通る垂線Ｌを基準として図１において左方側に存在するキートップ４１の裏面に形成された係止部４２及びホルダプレート４５に形成された係止部６７には、それぞれ係止棒５３を回動可能に係止する係止溝４４及び係止棒６１を係止突起６９Ａと協働して回動可能に係止する摺動溝６９が設けられていることになる。また、垂線Ｌの図１において右方側に存在するキートップ４１の裏面に形成された係止部４３及びホルダプレート６５に形成された係止部６６には、それぞれ係止ピン６３、６４及び係止ピン５５、５６を水平方向に摺動可能に係止する係止溝４５及び摺動溝６８が設けられていることになる。
　【００４０】
　続いて、前記のように構成されるキースイッチ装置の組立方法について図５乃至図８に基づき説明する。先ず、スイッチ支持板７２上にフレキシブル回路基板７０、ホルダプレート６５を載置するとともに、樹脂弾性を利用してリンク部材４７の各軸体５２をリンク部材４８の各軸孔６０に嵌合して案内支持部材４６を組み立てる。
　【００４１】
　この後、各リンク部材４７、４８相互を回動させて図５に示す水平状態にし、リンク部材４７の係止ピン５５、５６、及び、リンク部材４８の係止棒６１を各係止部６６、６７における摺動溝６８、６９の開放側から各案内壁７３により案内させながらホルダプレート６５上で各摺動溝６８、６９内に向かってスライドさせる。そして、更にスライドさせると、リンク部材４８の係止棒６１は摺動溝６９内に形成された係止突起６９Ａを斜面側から乗り越える。この状態が図６に示されている。これにより、案内支持部材４６とホルダプレート６５との連結が終了する。
　【００４２】
　このように、リンク部材４８の係止棒６１と摺動溝６９との連結、及び、リンク部材４７の係止ピン５５、５６と摺動溝６８との連結は、案内支持部材４６を各摺動溝６８、６９の開放側からホルダプレート６５上でスライドさせることのみによってなされるので、案内支持部材４６とホルダプレート６５との連結が極めて簡単に行ない得るものである。このとき、案内支持部材４６はそのスライド時において各案内壁７３により案内されるので、案内支持部材４６が各摺動溝６８、６９から外れてしまうことはなく、従って、かかる案内壁７３により前記連結作業は、より容易に行ない得ることとなる。また、係止棒６１自体は、その棒状構造からして大きな剛性を有しており、従って、係止棒６１と摺動溝６９との係止は容易に行なわれる。
　【００４３】
　次に、図６の状態に保持されたリンク部材４７の係止棒５３とキートップ４１の係止溝４４とを対向させ、また、リンク部材４８の係止ピン６３、６４とキートップ４１の係止溝４５とを対向させた後（図７参照）、キートップ４１を軽く下方に押下する。これにより、リンク部材４７の係止棒５３は係止案内部４４Ａにより案内されつつ係止溝４４内にスナップインされ、同時に、リンク部材４８の各係止ピン６３、６４は係止案内部４５Ａにより案内されつつ係止溝４５内にスナップインされる。かかる状態が図８に示されている。これにより、案内支持部材４６とキートップ４１との連結が終了する。このとき、係止棒５３は、その棒状構造からして大きな剛性を有しており、従って、係止棒５３と係止溝４５との係止は容易に行なわれる。
　【００４４】
　このように、リンク部材４７の係止棒５３とキートップ４１の係止溝４４との連結、及び、リンク部材４８の各係止ピン６３、６４とキートップ４１の係止溝４５との連結は、図７に示す状態からキートップ４１を軽く下方に押下するのみによってなされるので、案内支持部材４６とキートップ４１との連結が極めて簡単に行ない得るものである。
　【００４５】
　前記の作業をもってキースイッチ装置の組立が終了するが、各リンク部材４７、４８とホルダプレート６５及びキートップ４１との連結作業は、いずれも極めて簡単に行ない得、これによりキースイッチ装置の組立作業を簡便化して組立時間の短縮を可能とするとともに、作業者の組立能力如何に拘らず確実にキースイッチ装置の組立がなされ得るものである。
　【００４６】
　続いて、前記のように組み立てられたキースイッチ装置の動作について説明する。
　キートップ４１を下方に押下すると、キートップ４１が下方へ移動するに伴ってリンク部材４７の係止棒５３は、その剛性に基づき変形することなく、係止部４２の係止孔４４内で反時計方向にスムーズに回動するとともに、リンク部材４８の係止ピン６３、６４は、その軽量性に基づき係止部４３の係止溝４５内で水平方向（図１における右方向）にスムーズに摺動する。これと同時に、リンク部材４８の係止棒６１は、その剛性に基づき変形することなく、ホルダプレート６５における係止部６７の摺動溝６９内で係止突起６９Ａとの協働により時計方向にスムーズに回動するとともに、リンク部材４７の係止ピン５５、５６は、その軽量性に基づき係止部６６の摺動溝６８内で水平方向（図１における右方向）にスムーズに摺動する。
　【００４７】
　かかるキートップ４１の押下時、案内支持部材４６は各案内壁７３間で図４における左右方向への規制がなされるので、キートップ４１が不必要にがたつくことが防止される。
　【００４８】
　この結果、リンク部材４７及び４８を相互に軸支する軸支部Ａは下方に移動するとともにラバースプリング７１を徐々に押下していき、その押下量が一定の限度を超えた時点でラバースプリング７１は挫屈される。これにより、ラバースプリング７１内の可動電極７１Ａがフレキシブル回路基板７０上のスイッチ電極７０Ａを短絡し所定のスイッチング動作が行われる。
　【００４９】
　キートップ４１の押下を解除すると、両リンク部材４７、４８の軸支部Ａはラバースプリング７１の弾性復元力により上方に押し上げられる。これに伴って、前記リンク部材４７の係止棒５３、係止ピン５５、５６、及び、リンク部材４８の係止棒６１、係止ピン６３、６４は前記したのと逆の動作を行ない、この結果、キートップ４１は元の位置に復帰される。
　【００５０】
　ここに、各係止棒５３、６１は水平方向には移動されることなく、それぞれ係止溝４４及び摺動溝６９内で回動するのみであるので、キートップ４１は水平方向に移動されることなくキートップ１のキー面の水平状態を保持したまま上下動されるものである。
　【００５１】
　以上詳細に説明した通り本実施例に係るキースイッチ装置では、キースイッチ装置の組立の際に、リンク部材４７の係止ピン５５、５６、及び、リンク部材４８の係止棒６１を各係止部６６、６７における摺動溝６８、６９の開放側から各案内壁７３により案内させながら、ホルダプレート６５上で各摺動溝６８、６９内に向かってスライドさせるとともに、リンク部材４８の係止棒６１が摺動溝６９内に形成された係止突起６９Ａを乗り越えるまでスライドさせることにより、案内支持部材４６とホルダプレート６５との連結が行なわれるので、案内支持部材４６とホルダプレート６５との連結作業を極めて簡単にすることができる。
　【００５２】
　特に、案内支持部材４６のスライド時に、かかる案内支持部材４６は各案内壁７３により各摺動溝６８、６９に向かって確実に案内されるので、案内支持部材４６が各摺動溝６８、６９から外れてしまうことはなく、従って、かかる案内壁７３により前記連結作業は、より容易に行ない得ることとなる。
　【００５３】
　また、案内支持部材４６とキートップ４１との連結を行なう際には、リンク部材４７の係止棒５３とキートップ４１の係止溝４４とを対向させ、また、リンク部材４８の係止ピン６３、６４とキートップ４１の係止溝４５とを対向させた後、キートップ４１を軽く下方に押下することにより、リンク部材４７の係止棒５３は係止案内部４４Ａにより案内されつつ係止溝４４内にスナップインされ、同時に、リンク部材４８の各係止ピン６３、６４は係止案内部４５Ａにより案内されつつ係止溝４５内にスナップインされるので、案内支持部材４６とキートップ４１との連結が極めて簡単に行ない得るものである。
　また、各リンク部材４７、４８は、相互に回動可能に組み付けられた後にホルダプレート６５に連結されることから、各リンク部材４７、４８に対してキートップ４１を連結するについては、上方から各リンク部材４７、４８を明確に視認しながらキートップ４１を連結すればよく、従って、各リンク部材４７、４８に対してキートップ４１を容易に連結することができるものである。
　【００５４】
　更に、前記のように簡単な組立作業により組み立てられたキースイッチ装置では、リンク部材４７の係止棒５３は係止部４２の係止溝４４内で移動することなく回動可能に保持されるとともに、リンク部材４８の係止棒６１は摺動溝６９内で係止突起６９Ａとの協働により移動することなく回動可能に保持され、また、案内支持部材４６は一対の各案内壁７３間で移動が規制されており、これによりキートップ４１はそのキー操作時において前後左右のいずれの方向に対しても移動されることが防止される。この結果、キー操作性を格段に向上することができる。かかる点において、リンク部材４７の係止棒５３及びリンク部材４８の係止棒６１をキートップ４１側にて共に回動係止し、また、１リンク部材４７の係止ピン５５、５６及びリンク部材４８の係止ピン６３、６４をホルダプレート６５側で共に摺動係止するキースイッチ装置に比べて、キートップ４１の押下途中でキートップ４１を水平方向に揺らすことなくスムーズに下方へ降下させることができることは明らかである。
　また、リンク部材４７には、剛性の大きな係止棒５３が設けられ、また、リンク部材４８には、同様に剛性の大きな係止棒６１が設けられており、これにより、各リンク部材４７、４８はその取扱が容易となり、これらの各リンク部材４７、４８により構成される案内支持部材４６をホルダプレート６５及びキートップ４１に容易に連結して組み立てることができる。更に、リンク部材４７の係止棒５３及びリンク部材４８の係止棒６１は、その剛性に基づき変形することなく、それぞれ係止溝４４内、係止突起６９Ａと摺動溝６９との間でスムーズに回動され、また、リンク部材４７の各係止ピン５５、５６及びリンク部材４８の各係止ピン６３、６４は、その軽量性に基づき、それぞれ摺動溝６８、係止溝４５内でスムーズに摺動される。これにより、全体としてキートップ４１の操作性を向上することができる。
　【００５５】
　尚、本発明は前記実施例に限定されるものではなく、本発明の要旨を逸脱しない範囲内で種々の改良、変形が可能であることは勿論である。例えば、前記実施例では係止部６７の摺動溝６９内に係止突起６９Ａを形成するようにしているが、かかる係止突起は係止部６６の摺動溝６８内に形成するようにしてもよい。
　【００５６】
　【発明の効果】
　以上説明したように、本発明のキースイッチ装置
の組立方法
　更に、キートップ側で、第１リンク部材の第１係止部材を回動係止し、かつ第２リンク部材の第２係止部材を摺動係止し、また、ホルダ部材側で、第１リンク部材の第３係止部材を摺動係止し、かつ第２リンク部材の第４係止部材を回動係止するように構成したので、キートップ側で第１リンク部材の第１係止部材及び第２リンク部材の第２係止部材を共に回動係止し、ホルダ部材側で第１リンク部材の第３係止部材及び第２リンク部材の第４係止部材を共に摺動係止するキースイッチ装置に比べて、キートップの押下途中でキートップを水平方向に揺らすことなくスムーズに下方へ降下させることができる。
【図面の簡単な説明】
　【図１】
　キースイッチ装置の縦断面図である。
　【図２】
　一方のリンク部材の平面図である。
　【図３】
　他方のリンク部材の平面図である。
　【図４】
　キースイッチ装置の横断面図である。
　【図５】
　案内支持部材をホルダプレートに連結する前の状態を示す説明図である。
　【図６】
　案内支持部材をホルダプレートに連結した後の状態を示す説明図である。
　【図７】
　ホルダプレートに連結した案内支持部材上にキートップを配置した状態を示す説明図である。
　【図８】
　ホルダプレートに連結した案内支持部材にキートップを連結した状態を示す説明図である。
　【図９】
　従来のキースイッチ装置の縦断面図である。
　【図１０】
　従来のキースイッチ装置に使用される一方のリンク部材の平面図である。
　【図１１】
　従来のキースイッチ装置に使用される他方のリンク部材の平面図である。
　【符号の説明】
　１、４１　　　　　　　　　　キートップ
　２、３、２６、２７
　４２、４３、６６、６７　　　係止部
　６、４６　　　　　　　　　　案内支持部材
　７、８、４７、４８　　　　　リンク部材
　１３、１４、１５、１６
　２１、２２、２３、２４
　５５、５６、６３、６４　　　係止ピン
　２５、６５　　　　　　　　　ホルダプレート
　３１、７１　　　　　　　　　ラバースプリング
　４４、４５　　　　　　　　　係止溝
　４４Ａ、４５Ａ　　　　　　　係止案内部
　６８、６９　　　　　　　　　摺動溝
　６９Ａ　　　　　　　　　　　係止突起
　７３　　　　　　　　　　　　案内壁